(57)【特許請求の範囲】
【請求項１】
床面下に設置された炉箱の下部に熱源を備え、使用状態において熱源に近接して覆う位置に設置するとともに非使用状態において炉箱の上部の開口部を閉塞する位置に設置して畳を支持するすのこを備えた堀ごたつの畳の支持構造であって、非使用状態のすのこにおいて間隔を隔てて設けた桟材間に剛性を備えた棒材を着脱自在に載設して成ることを特徴とする堀ごたつの畳の支持構造。
【請求項２】
棒材が中空棒材にて形成され、棒材の端部に棒材の端部を覆うエンドキャップを付設して成ることを特徴とする請求項１記載の堀ごたつの畳の支持構造。
【請求項３】
非使用状態のすのこにおける桟材の長さ方向とは直交する方向に補助受け材を炉箱に取外し自在に設けて成ることを特徴とする請求項１記載の堀ごたつの畳の支持構造。
【請求項４】
すのこの桟材の裏面に受熱金属板を略全長に付設して成ることを特徴とする請求項１記載の堀ごたつの畳の支持構造。
【発明の詳細な説明】
【０００１】
【発明の属する技術分野】
本発明は、堀ごたつの畳の支持構造に関し、詳しくは、使用時においては熱源からの対流を高めて暖房効果を高めながら、非使用状態における畳の支持強度を高めようとする技術に係るものである。
【０００２】
【従来の技術】
従来、非使用状態の堀ごたつの開口を閉塞して畳を支持する構造は、非使用状態においてすのこを炉箱の上部の開口部を閉塞する位置に設置して畳を支持するものである。
【０００３】
【発明が解決しようとする課題】
ところで、このような構成においては、すのこの桟材間に間隔を設けて対流性を高めるとともに熱源からの受熱性を高める機能と、非使用状態においてすのこを炉箱の上部の開口部に配設して畳を強固に支持する機能は相反するものとなる。つまり、すのこにおける対流性及び受熱性を高める場合には、畳の支持強度が低下するものである。特に、厚みが薄い畳は撓みやすくて、非使用状態の堀ごたつの上を歩く場合に、歩行感が低下するものである。
【０００４】
本発明はこのような問題に鑑みてなされたものであり、使用時においては熱源からの対流を高めて暖房効果を高めながら、非使用状態における畳の支持強度を高めることができる堀ごたつの畳の支持構造を提供することを課題とするものである。
【０００５】
【課題を解決するための手段】
請求項１においては、床面下に設置された炉箱１の下部に熱源２を備え、使用状態において熱源２に近接して覆う位置に設置するとともに非使用状態において炉箱１の上部の開口部３を閉塞する位置に設置して畳４を支持するすのこ５を備えた堀ごたつの畳の支持構造であって、非使用状態のすのこ５において間隔を隔てて設けた桟材５ａ，５ａ間に剛性を備えた棒材９を着脱自在に載設していることを特徴とするものである。このような構成によれば、使用状態においては、すのこ５の桟材５ａ，５ａの間隔を広く設定した状態で暖房効率を高めながら、非使用状態においては、炉箱１の開口部３を閉塞しているすのこ５の桟材５ａ，５ａ間に剛性の高い棒材９を配設することで、畳の支持強度を充分なものにでき、薄くて撓みやすい畳であっても歩行感が低下するのを確実に防止する。
【０００６】
請求項２においては、棒材９が中空棒材にて形成され、棒材９の端部に棒材９の端部を覆うエンドキャップ６を付設していることを特徴とするものである。このような構成によれば、例えば、金属製の棒材９の端部エッジにて炉箱１の内面及びすのこ５を傷つけることを確実に防止する。
【０００７】
請求項３においては、非使用状態のすのこ５における桟材５ａの長さ方向とは直交する方向に補助受け材７を炉箱１に取外し自在に設けていることを特徴とするものである。このような構成によれば、すのこ５の桟材５ａとは直交する補助受け材７によってすのこ５の支持強度を高め、ひいては畳の支持強度を、一層、高める。
【０００８】
請求項４においては、すのこ５の桟材５ａの裏面に受熱金属板８を略全長に付設していることを特徴とするものである。このような構成によれば、受熱金属板８により熱源２からの受熱効率を高めることができながら、受熱金属板８によって桟材５ａの強度を高めることができ、一層、畳の支持強度を高める。
【０００９】
【発明の実施の形態】
以下、本発明の実施の形態を説明する。図１（ａ）は概略断面図、同図（ｂ）は非使用状態のすのこの部分拡大断面図、同図（ｃ）は使用状態のすのこの部分斜視図、図２は一部省略した斜視図である。
【００１０】
堀ごたつＡは、床面下に設置された炉箱１の下部に熱源２を備え、使用状態において熱源２に近接して覆う位置に設置するとともに非使用状態において炉箱１の上部の開口部３を閉塞する位置に設置して畳４を支持するすのこ５を備えている。つまり、熱源２の上方部で炉箱１の短い方向において対向する内壁面１ａ，１ａに桟状の下受具１１，１１を全長に取付け、両下受具１１，１１に一対のすのこ５，５を架設する使用状態と、炉箱１の開口部３の近傍で、上記内壁面１ａ，１ａに桟状の上受具１２，１２を取付け、両上受具１２，１２に一対のすのこ５，５を架設する非使用状態とに変更することができるようにしている。すのこ５は、受桟５ｂに桟材５ａを直交させて連結したものである。受桟５ｂ及び桟材５ａの材質は、木材等があげられる。
【００１１】
本発明においては、非使用状態のすのこ５において間隔を隔てて設けた桟材５ａ，５ａ間に剛性を備えた棒材９を着脱自在に上受具１１に載設するのである。棒材９の材質は、スチール、アルミニウム、樹脂等があげられる。又、受材５ｂ、桟材５ａと同じ材質のもであってもよい。棒材９はすのこ５の受桟５ｂにも載置される。
【００１２】
しかして、使用状態においては、棒材９がなくてすのこ５の桟材５ａ，５ａの間隔を広く設定した状態で熱源２による暖房効率を高めながら、非使用状態においては、炉箱１の開口部３を閉塞しているすのこ５の桟材５ａ，５ａ間に剛性の高い棒材９を配設することで、畳４の支持強度を充分なものにでき、薄くて撓みやすい畳４であっても歩行感が低下するのを確実に防止することができるのである。
【００１３】
ところで、棒材９が中空の金属製の角棒材にて形成され、棒材９に棒材９の端部を覆うエンドキャップ６を図５（ａ）に示すように付設している。しかして、例えば、金属製の棒材９を使用する場合に、棒材９の端部エッジにて炉箱１の内面及びすのこ５を傷つけることを確実に防止することができるのである。必要ならば、棒材９に緩衝材を巻いてすのこ５等を傷つけるのを防止するようにしてもよい。
【００１４】
図３（ａ）に示すように、非使用状態のすのこ５における桟材５ａの長さ方向とは直交する方向で、かつ、桟材５ａ…を載設することができる補助受け材７を取外し自在に設けている。補助受け材７は同図（ｃ）に示すように、上方が開放さえた支持具１４，１４に上方に取外し自在に架設していて、すのこ５の桟材５ａとは直交する補助受け材７によってすのこ５の支持強度を高め、ひいては畳４の支持強度を、一層、高めるのである。
【００１５】
ところで、図４及び図５（ｂ）に示すように、すのこ５の桟材５ａを、例えば木製、樹脂製或いは熱伝導性の低い材質で、かつ強度が小さい等の場合に、熱源２の近くの桟材５ａの裏面に受熱金属板８を略全長に付設していて、このような場合には、受熱金属板８により熱源２からの受熱効率を高めることができながら、受熱金属板８によって桟材５ａの強度を高めることができ、一層、畳の支持強度を高めることができるのである。受熱金属板８は全ての桟材５ａに付設してもよい。
【００１６】
ところで、本発明の棒材９は、すのこ５から外して使用状態のすのこ５の下方に収納しておくとよい。
【００１７】
【発明の効果】
請求項１においては、床面下に設置された炉箱の下部に熱源を備え、使用状態において熱源に近接して覆う位置に設置するとともに非使用状態において炉箱の上部の開口部を閉塞する位置に設置して畳を支持するすのこを備えた堀ごたつの畳の支持構造であって、非使用状態のすのこにおいて間隔を隔てて設けた桟材間に剛性を備えた棒材を着脱自在に載設しているから、使用状態においては、すのこの桟材の間隔を広く設定した状態で暖房効率を高めながら、非使用状態においては、炉箱の開口部を閉塞しているすのこの桟材間に剛性の高い棒材を配設することで、畳の支持強度を充分なものにでき、薄くて撓みやすい畳であっても歩行感が低下するのを確実に防止することができるという利点がある。
【００１８】
請求項２においては、棒材が中空棒材にて形成され、棒材の端部に棒材の端部を覆うエンドキャップを付設しているから、請求項１の効果に加えて、例えば、金属製の棒材を使用する場合において、棒材の端部エッジにて炉箱の内面及びすのこを傷つけることを確実に防止することができるという利点がある。
【００１９】
請求項３においては、非使用状態のすのこにおける桟材の長さ方向とは直交する方向に補助受け材を炉箱に取外し自在に設けているから、請求項１の効果に加えて、すのこの桟材とは直交する補助受け材によってすのこの支持強度を高め、ひいては畳の支持強度を、一層、高めることができるという利点がある。
【００２０】
請求項４においては、すのこの桟材の裏面に受熱金属板を略全長に付設しているから、請求項１の効果に加えて、受熱金属板により熱源からの受熱効率を高めることができながら、受熱金属板によって桟材の強度を高めることができ、一層、畳の支持強度を高めることができるという利点がある。
【図面の簡単な説明】
【図１】本発明の実施の一形態を示し、（ａ）は概略断面図、（ｂ）は非使用状態のすのこの部分拡大側面図、（ｃ）はすのこの部分斜視図である。
【図２】同上の一部省略した斜視図である。
【図３】（ａ）は補助受け材の使用状態を示す概略平面図、（ｂ）は概略断面図、（ｃ）は部分斜視図である。
【図４】同上のすのこの底面図である。
【図５】（ａ）は同上のエンドキャップを示す斜視図、（ｂ）は他の実施の形態の桟材の側面図である。
【符号の説明】
１  炉箱
２  熱源
３  開口部
４  畳
５  すのこ
６  エンドキャップ
７  補助受け桟
８  受熱金属板
【図１】
0003555527.tif 000002
【図２】
0003555527.tif 000003
【図３】
0003555527.tif 000004
【図４】
0003555527.tif 000005
【図５】
0003555527.tif 000006